(57)【特許請求の範囲】
【請求項１】
回線接続器(1)と、これに接続された複数の電話機(7)及び複数の外線通話路(3,4)とを備え、前記回線接続器は、前記電話機の一つから与えられた発信信号により前記外線通話路から空通話路を捕捉して当該電話機を接続する構内電話回線網において、前記外線通話路は、回路選択装置(22)を介装した通話路(4)と介装しない通話路(3)とを有し、前記電話機は、予め前記回線接続器に登録された市内用と市外用の発信信号をそれぞれ発信する発信ボタン(17),(18)を備え、前記回線接続器は、前記電話機の一つから市外発信信号が与えられたときに前記回路選択装置が介装されている外線通話路(4)から空通話路を捕捉する市外通話接続手段(23b)と、前記電話機の一つから市内発信信号が与えられたときに前記回路選択装置が介装されていない外線通話路(3)から空通話路を捕捉する市内通話接続手段(23b)とを備えている、構内電話回線網。
【請求項２】
前記回路接続器が、前記市内通話接続手段(23a)が回路選択装置が介装されていない外線通話路(3)から空通話路を捕捉できなかったときに、その電話機(7)を市外通話接続手段(23b)に引き渡す制御変換手段を備えている、請求項１記載の構内電話回線網。
【請求項３】
回線接続器(1)と、これに接続された複数の電話機(7)及び複数の外線通話路(3,4)とを備え、前記回線接続器は、前記電話機の一つから与えられた発信信号により前記外線通話路から空通話路を捕捉して当該電話機を接続する構内電話回線網において、前記外線通話路は、回路選択装置(22)を介装した通話路(4)と介装しない通話路(3)とを有し、前記電話機は、予め前記回線接続器に登録された市内用と市外用の発信信号をそれぞれ発信する発信ボタン(17),(18)を備え、前記回線接続器は、前記電話機の一つから市内発信信号が与えられたときに捕捉する外線通話路を回路選択装置が介装された外線通話路(4)に限定する制限手段(23b)を備えている、構内電話回線網。
【請求項４】
回路選択装置(22)を介装した外線通話路を２群以上備えている、請求項１、２または３記載の構内電話回線網。
【発明の詳細な説明】
【０００１】
【産業上の利用分野】
この発明は、回線接続器とこれに接続された複数の電話機及び複数の外線通話路とを備えた構内電話回線網であって、電話機の一つから発信信号が発せられたときに、回路接続器がその電話機を使用されていない外線通話路（空通話路）の１本に接続する、構内電話回線網に関するものである。
【０００２】
【従来の技術】
複数本の外線通話路が接続され、その外線通話路の本数より多い数の電話機が接続され、その電話機のいずれからでも外線通話を可能にした構内電話回線網は、電話機の一つから発信信号が出力されたときに未使用の外線通話路を捕捉してその電話機と捕捉した外線通話路とを接続する回線接続器を備えている。このような構内電話回線網で使用する電話機には、専用の発信ボタンを備えていないもの、１個の発信ボタンを備えたもの、複数のファンクションボタンを備えたものなどがある。専用の発信ボタンを備えていないものは、ダイヤルボタン（たとえばダイヤル０のボタン）またはファンクションボタンの１個を発信ボタンとして用いていた。
【０００３】
兼用のまたは専用の発信ボタンを１個設けたものでは、当該発信ボタンを押すことによって回線接続器に発信信号を与える。発信信号を受けた回線接続器は、未接続の外線通話路を検索捕捉して、発信信号を発した電話機と未使用の外線通話路とを接続する。捕捉される外線通話路はその時点で未使用である外線通話路の１本であって、どの外線通話路が選ばれるかは特定できなかった。
【０００４】
接続されている外線通話路がそれほど多くない場合には、外線通話路の各々を電話機の複数のファンクションボタンにそれぞれ割り当て、そのファンクションボタンのいずれかを押すことによってそのファンクションキーに設定した外線通話路と当該電話機とを接続するようにしたものもある。ファンクションボタンに代えて予め各外線通話路に割り当てられた番号をダイヤルすることにより、指定した外線通話路と接続するようにしたものもある。このような場合には接続しようとする外線通話路が使用中であるか未使用であるかを各電話機に表示できるようにしており、使用者は未使用の外線通話路を探して使用する外線通話路をファンクションボタンまたはダイヤルで指示する。
【０００５】
現在公衆電話サービスは複数の業者が行っており、ある範囲の地域への市外通話に関してある業者の通話料金が他の業者の通話料金より安いということがある。このような場合、加入者は、外線通話路ないし回線接続器に回路選択装置（回線自動選択アダプタやＬＣＲなどの装置）を介装して、特定の地域への市外接続信号に切換信号が付加されるようにして、その特定地域への通話回路が特定の業者の公衆電話回路網に切り換えられるようにしている。
【０００６】
【発明が解決しようとする課題】
複数の外線通話路が接続された構内電話回線網において、市外通話の際に特定の業者の回路網を使用しようとすると、接続されている外線通話路のすべてに上記の回路選択装置を設ける必要がある。
【０００７】
また業者によっては市外通話の大口利用料金割引を行っているところもあるが、このような業者を利用している場合には、市外通話をできるだけ特定の外線通話路に集中させることにより通話料金を安くすることができる。ところが従来のように１個の発信ボタン（または１個の発信信号）で外線通話路との接続を行う装置では、市外通話が複数本の外線通話路の全部に分散されてしまうため、通話路１本毎の市外通話回数が少なくなり、料金割引を受けられなくなってしまうことがある。ファンクションキーやダイヤルによって外線通話路を指定できるようにしたものでは、市外通話をする際に特定の外線通話路を選択するようにすれば通話料金を安くできるが、どの外線通話路で市外通話を行うべきかを個々の使用者が認識している必要があり、また多数の外線通話路が接続されていて市外通話用に設定された外線通話路の数も多いときは、使用状態を確認しながら市外通話用の外線通話路を選択して指定しなければならないため、操作が非常に面倒である。
【０００８】
この発明は、複数の外線通話路を備えた構内電話回線網において、より簡単な操作で各電話機からの市外通話を特定の外線通話路を通して所望の業者の回路網に集めることができる技術手段を提供することを課題としている。
【０００９】
【課題を解決するための手段】
この発明では、構内電話回線網の回線接続器１に接続された複数の外線通話路を２群以上に群分けし、特定の群の外線通話路４のみに特定の業者の回路網を指定した回路選択装置２２を介装し、電話機７側にはその群分けした２以上の外線通話路の群に対応して市内発信ボタン１７と市外発信ボタン１８とを設け、市外発信ボタン１８が押されたときにはその電話機を回路選択装置２２が介装された外線通話路４に接続することにより、上記課題を解決している。市外通話用の業者を１業者だけにするときは、上記群分けは２群でよい。２以上の業者を通話地域毎に選択して利用するときは、市内用と合わせて３群以上に群分けし、そのうちの２群以上に回路選択装置２２を設け、電話機７には１個の市内発信ボタン１７と２個以上の市外発信ボタン１８とが設けられる。
【００１０】
市外発信信号が与えられたときに回路選択装置２２が介装されている外線通話路４に電話機を接続するには、回線接続器に市外通話接続手段２３ｂを設けることにより行う。または、発信信号が市外用の信号であるときに、通話路接続手段２３が捕捉する外線通話路を回路選択装置２２が介装された外線通話路４に限定する制限手段２３ｂを設けることにより行う。
【００１１】
回線接続器１にはまた、電話機７の一つから市内発信信号が与えられたときに回路選択装置２２が介装されていない外線通話路３から空通話路を捕捉する市内通話接続手段２３ａを設ける。そして市内通話接続手段２３ａが回路選択装置が介装されていない外線通話路３から空通話路を捕捉できなかったときに、その電話機７を市外通話接続手段２３ｂに引き渡す制御変換手段を設ける。
【００１２】
電話機７には市内用と１個以上の市外用との２個以上の発信ボタンを設ける。この発信ボタン１７、１８は専用のものであってもよいし、ダイヤルボタン等と兼用のものであってもよい。複数のファンクションボタンを備えた電話機では、ファンクションボタンのいくつかに割り当てることもできる。電話機にはどのボタンが市内発信用でどのボタンが市外発信用であるかの表示が付される。
【００１３】
【作用】
市内通話を行うときには、使用者は市内発信ボタン１７を押す。市内発信ボタンを押すことによって発せられる市内発信信号を受けた回線接続器１は、市内用に設定された外線通話路３の中から空通話路を探して接続する。この場合、市内専用の外線通話路３がすべて使用中であるときに、市外通話用に設定された第２群の通話路４から空通話路を探して接続するようにすることもできる。
【００１４】
市外通話を行うときには、使用者は市外発信ボタン１８を押す。市外発信ボタン１８の押下によって発せられた市外発信信号を受けた回線接続器１は、回路選択装置２２が介装された外線通話路４から空通話路を探して接続する。空通話路が見つからなかったときは、通話路がすべて使用中である旨の信号を発信した電話機に返す。市外通話は、複数の外線通話路のなかの特定の外線通話路４にのみ接続されるようになるから、その外線通話路の市外通話回数が増え、回数割引を有効に利用できるようになる。
【００１５】
この発明の通話路接続手段並びに制限手段２３ａ、２３ｂ、２３ｃなどは、ハードウエアによってもソフトウエアによっても構成可能であるが、ソフトウエアで構成するのが現実的であり、コストも安い。
【００１６】
【実施例】
次に図面に示す実施例について説明する。図３は構内電話回線網の機器構成図で、回線接続器１の外線接続端２に複数の外線通話路３、４が接続され、内線接続端５には複数の内線通話路６を介して複数の電話機７が接続されている。回線接続器１は外線通話路制御盤８、内線通話路制御盤９、通話路統括制御網１１、中央演算処理装置１２を備え、外線通話路３、４は外線通話路制御盤８に接続され、内線通話路６は内線通話路制御盤９に接続され、通話路統括制御網１１および中央演算処理装置１２は、内蔵したコンピュータとそのプログラムによってこれらの通話路制御盤８、９を制御している。
【００１７】
図４は電話機７を示したもので、ダイヤルボタン群１３とファンクションボタン群１４と局線ボタン群１５とメッセージ等の表示部１６とを備えており、局線ボタン群１５のうちの２個１７、１８がそれぞれ市内発信ボタンおよび市外発信ボタンとして設定されている。市内発信ボタン１７および市外発信ボタン１８に隣接したラベル１９、２０にはそれぞれ市内発信ボタンである旨および市外発信ボタンである旨の表示がなされている。これらの表示はたとえばダイヤルボタン群１３のうちの一つを市内発信ボタンおよび市外発信ボタンとして割り当てるときは、表示部１６に表示させることもできる。
【００１８】
図３の回線接続器１に接続された外線通話路３、４のうち第１群の通話路３は市内通話専用に設定され、第２群の通話路４は市外通話のときに特定の業者の公衆電話回路網に接続を切り換えるための符号を付加する回路選択装置２２を介装した市外通話用の通話路となっている。各群に属する外線通話路３、４は、各１回路のみであっても良い。
【００１９】
図１は中央演算処理装置１２の処理手順の第１実施例を示す図である。回線接続器１は、内線通話路６の１本から発信信号を受けると、その発信信号が市外発信信号かどうかを判断し、市外発信信号であれば市外通話接続手段２３ｂが回線接続器１に接続された市外用外線通話路４から空通話路を検索する。検索が成功すれば、当該発信信号を発した内線通話路６と捕捉した外線通話路４とを接続し、その接続を維持する。この後回路選択装置２２に登録された市外局番が回されたときには、回路選択装置２２はその番号の頭に切換信号を付加して当該通話が指定された業者の公衆電話回路網に接続されるようにする。
【００２０】
一方発信信号が市内発信信号であった場合には、市内通話接続手段２３ａがこれに接続された市内用外線通話路３から空通話路を探す。検索が成功すれば当該発信信号を発した内線通話路６と捕捉した外線通話路３とを接続する。その後当該電話機から市外ダイヤルが入力されたときには接続をキャンセルし、ダイヤルが市内ダイヤルであるときには接続を維持する。
【００２１】
発信信号が市内発信信号であってかつ市内用外線通話路３に空通話路がなかったときには、市外用外線通話路４から空通話路を検索する。そして空通話路が捕捉できればその市外通話路４と市内発信信号を発した内線通話路６とを接続する。この手続きにより市内発信信号を受けた場合に、まず最初に市内通話専用に設定された市内用外線通話路３を検索し、市内用外線通話路３に空通話路がなく、市外用外線通話路４に空通話路があった場合のみ市内発信信号を発した内線通話路６を市外用外線通話路４に接続する。
【００２２】
発信信号が市外発信信号であった場合または市内発信信号で市内用外線通話路３に空通話路がなかった場合において、市外用外線通話路４に空通話路がなかったときには、一定時間待機して外線通話路３、４が空くのを待ってからリトライするようにしている。
【００２３】
図２はこの発明の処理手順の第２実施例を示したものである。この第２実施例の例では通話路接続手段（プログラム）２３が３個設けられている。そして発信信号の種類に応じて３個の通話路接続手段２３のうちの１個を選択する切換手段２４が設けられている。そして市内通話接続手段２３ａには市内用外線通話路３が割り当てられ、第１の市外通話接続手段２３ｂには市外用外線通話路４が割り当てられている。また第２の市外通話接続手段２３ｃには図３には示されていない第２の市外用外線通話路が設定されている。第１の市外用外線通話路４と第２の市外用外線通話路とは介装される回路選択装置２２の種類が異なり、市外通話をそれぞれ異なる業者の公衆電話回路網に切り換えるようになっている。
【００２４】
発信信号が市内発信信号であった場合には、市内通話接続手段２３ａがこれに設定された市内用外線通話路３の中から空通話路を探して回線を接続する。この場合接続した後に市外ダイヤルがダイヤルインされたときには接続をキャンセルする。また市内用外線通話路３中に空通話路がなかったときには発信信号を第１の市外通話接続手段２３ｂに移送する。
【００２５】
発信信号が第１の市外発信信号であった場合には、その発信信号は第１の市外通話接続手段２３ｂに渡され、第１の市外用外線通話路４中から空通話路が検索される。そして空通話路があれば通話路を接続し、その後設定した範囲の市外ダイヤルが発せられたときには、回路選択装置２２がそのダイヤル信号に特定の信号を付加して指定した業者の回路網に回路が切り換えるられるようにする。図２の実施例は第１の市外通話接続手段２３ｂが空通話路を捕捉できなかったときにその発信信号を第２の市外通話接続手段２３ｃに与えるようにしている。
【００２６】
発信信号が第２の市外発信信号であったときには、その発信信号は第２の市外通話接続手段２３ｃに渡される。第２の市外通話接続手段２３ｃは前記第１の市外通話接続手段と同様にして市外通話用に設定された第２の市外用外線通話路から空通話路を探して回線を接続する。第１の市外通話接続手段２３ｂに割り当てた外線通話路に介装した回路選択装置と第２の市外通話接続手段２３ｃに割り当てた外線通話路に介装した回路選択装置とは、利用する業者の設定が異なる。すなわち第２の市外発信信号を発した通話を開始したときは、第１の市外発信信号を発して通話を開始したときと市外通話を行う際に使用する業者が異なる。
【００２７】
なお図２の実施例では第２の市外通話接続手段２３ｃが空通話路を捕捉できなかったときは、発信電話機に回線接続不能の信号を返すようにしている。
【００２８】
【発明の効果】
以上説明したこの発明によれば、簡単な操作で市外通話をする際に使用する外線通話路を選択できるようになり、市外通話を特定の業者を指定した回路選択装置を介装した外線通話路に集中させることにより、多数の外線通話路に分散している市外通話を特定の外線通話路に集中させることができるようになる。したがって市外通話地域等への通話に対して大口利用料金割引が適用される場合など、通話料金のより効率的な節減を図ることが可能となる。
【図面の簡単な説明】
【図１】  回線接続器における接続処理の第１例を示すフローチャート
【図２】  同第２例を示すフローチャート
【図３】  構内電話回線網の一実施例を示すブロック図
【図４】  この発明の構内電話回線網で用いる電話機の一例を示す模式図
【符号の説明】
１  回線接続器
２  外線接続端
３  市内用外線通話路
４  市外用外線通話路
５  内線接続端
６  内線通話路
17  市内発信ボタン
18  市外発信ボタン
19  ラベル
22  回路選択装置
23  (a,b,c)通話路接続手段
【図１】
0003642802.tif 000002
【図２】
0003642802.tif 000003
【図３】
0003642802.tif 000004
【図４】
0003642802.tif 000005